(57)【要約】      （修正有）【課題】まい箸利用者に外での飲食の機会を増大させて、飲食店には顧客による利益を増加・拡大させ、社会には、まい箸利用の普及による割り箸の消費低下と木材環境保護とを実現するシステムを提供する。【解決手段】まい箸利用側の通信手段・飲食業側の通信手段・まい箸運営側システム等が、通信ネットワークを介して相互に接続されるまい箸ネットワークシステムにして、（1）まい箸運営側システムが、まい箸に協力する飲食業の広告及びまい箸に対するメッセージを通信ネットワーク上に配信し、（2）まい箸利用側及び飲食業側の通信手段が、まい箸利用側及び飲食業側のまい箸に関する情報及び要望をまい箸運営側システムに送信し、（3）まい箸運営側システムが、受信するまい箸に関する情報及び要望を格納・分析による応答を飲食業側の通信手段に送信し、まい箸に協力する飲食業による木材環境保護への寄付情報を通信ネットワーク上に配信する。【選択図】なし【特許請求の範囲】
【請求項１】
少なくとも、まい箸利用側の通信手段と、飲食業側の通信手段と、まい箸運営側システムとが、通信ネットワークを介して相互に接続されて、      
（1）まい箸運営側システムが、まい箸に協力する飲食業の広告及びまい箸に対するメッセージを通信ネットワーク上に配信し、
（2）まい箸利用側及び飲食業側の通信手段が、まい箸利用側及び飲食業側のまい箸に関する情報及び要望をまい箸運営側システムに送信し、
（3）まい箸運営側システムが、受信するまい箸に関する情報及び要望を格納・分析による応答を飲食業側の通信手段に送信し、まい箸に協力する飲食業による木材環境保護への寄付情報を通信ネットワーク上に配信すること、を特徴とするまい箸ネットワークシステム。
【請求項２】
少なくとも、まい箸利用側の通信手段と、飲食業側の通信手段と、まい箸うんえい側システムとが、通信ネットワークを介して相互に接続されて、      
（a）まい箸運営側システムが、木材環境保護への寄付を含むまい箸運営側との契約を締結した飲食業の広告を飲食業の協力内容の表示を組む含むコンテンツにして、まい箸運営側のまい箸に対するメッセージと共に通信ネットワーク上に配信し、
（b）まい箸利用側及び飲食業側の通信手段が、まい箸に関する情報及び要望をまい箸運営側システムに送信し、
（c）まい箸運営側システムが、まい箸の情報及びまい箸に対する要望を受信・格納・分析して、分析情報に基いて飲食業の広告データベースの広告のコンテンツを再生し、まい箸に協力する飲食業による木材環境保護への寄付情報を通信ネットワーク上に配信すること、を特徴とするまい箸ネットワークシステム。
【請求項３】
下記（1）〜（6）の１つ若しくは複数を備える請求項1しくは2に記載のまい箸ネットワークシステム。
（1）まい箸運営側システムは、収集・格納したまい箸情報及びまい箸に関する要望を分類して傾向を検出するプログラムを備えている。
（2）まい箸運営側システムは、収集・格納したまい箸情報及びまい箸に関する要望と通信ネットワーク上に配信したメッセージとの関連を分析するプログラムを備えている。
（3）まい箸運営側システムは、収集・格納したまい箸情報から通信ネットワーク上に配信した広告の影響を予測するプログラムを備えている。
（4）まい箸運営側システムは、まい箸運営側が提案するまい箸に関する契約を受け付ける旨の情報をも通信ネットワーク上に配信する。
【発明の詳細な説明】
【技術分野】
【０００１】
本発明は、コンピュター・通信ネットワークの利用によって、まい箸（自分専用の箸）利用者の外食機会増大による飲食関連事業の利益向上と関連ビジネスの活発化、及びまい箸利用の飲食費からの木材環境保護への支出による木材環境保護事業（例えば、森林再生事業等）の援助を行う箸ネットワークシステムに関する。
【背景技術】
【０００２】
割り箸に関する提案は、製造法（例えば、特許文献1を参照）に関するもの殆どで、割り箸以外の箸についても、箸の持方及び矯正の練習具（例えば、特許文献2、3を参照）及び箸関連具（箸袋・箸置等）に関するものが殆どである。
また、割り箸のリサクイルによる再使用及び飲食店での割り箸の使用を無くす等の発想が従来において存在せず、わが国の割り箸の消費に起因する開発途上国での森林面積の減少・それに伴う環境変化が問題になって、割り箸用の木材輸入量（伐採量）の減少が希求されている。
【０００３】
一方、割り箸の使い捨は、資源の浪費になる・物を大切にする日本の伝統に反する・箸を大切にすることは食を大切にすることに通ずる等と考える人たちが、「まい箸」の集まり（例えば、まい箸クラブ）を作って、啓蒙運動をする時代になっている。
【０００４】
特許文献1  特許3056736号
特許文献2  特許2981211号
特許文献3  特許3766831号
【発明の開示】
【発明が解決しようとする課題】
【０００５】
従来にあっては、まい箸利用の促進とビジネス（代表的には、飲食業）を結び付ける方法は、発想として存在せず、提案もされていなかった。そこで、本発明では、コンピュター・通信ネットワークによって、まい箸利用側、飲食業側及びまい箸運営側を結び付けて、まい箸利用による飲食業側の利益の一部の活用によって木材環境保護（例えば、森林保護等）の実行おも可能にする。
【０００６】
第一の本発明は、下記（Ａ）〜（D）を目的とする。
(Ａ)本発明は、顧客としてのまい箸利用者の増加・拡大により飲食業に経済的利益をもたらして、その飲食業者による寄付の木材環境保護（例えば、森林保護等）への活用を可能にする箸ネットワークシステム
を提供すること、を目的とする。
（Ｂ）本発明は、まい箸利用者の増加・拡大によりまい箸文化を普及させ、それによって、割り箸の消費を低下させて木材資源浪費を減少させ、まい箸に関連する新たな産業の創生を可能にする箸ネットワークシステム
を提供すること、をも目的とする。
(C) 本発明は、まい箸運営側に機能の活用によるまい箸の普及・拡大が効率的に行える箸ネットワークシステム
を提供すること、をも目的とする。・
（Ｄ）本発明は、割り箸の大量消費を是正し、まい箸という新しい食文化の創生の糸口になり得る箸ネットワークシステム
を提供すること、をも目的とする。
【課題を解決するための手段】
【０００７】
第一の本発明（請求項1に記載の本発明）によるまい箸ネットワークシステムは、少なくとも、まい箸利用側の通信手段と、飲食業側の通信手段と、まい箸運営側システムとが、通信ネットワークを介して相互に接続されて、      
（1）まい箸運営側システムが、まい箸に協力する飲食業の広告及びまい箸に対するメッセージを通信ネットワーク上に配信し、
（2）まい箸利用側及び飲食業側の通信手段が、まい箸利用側及び飲食業側のまい箸に関する情報及び要望をまい箸運営側システムに送信し、
（3）まい箸運営側システムが、受信するまい箸に関する情報及び要望を格納・分析による応答を飲食業側の通信手段に送信し、まい箸に協力する飲食業による木材環境保護への寄付情報を通信ネットワーク上に配信すること、を特徴とする。
第二の本発明（請求項2に記載の本発明）によるまい箸ネットワークシステムは、少なくとも、まい箸利用側の通信手段と、飲食業側の通信手段と、まい箸うんえい側システムとが、通信ネットワークを介して相互に接続されて、      
（a）まい箸運営側システムが、木材環境保護への寄付を含むまい箸運営側の契約を締結した飲食業の広告を飲食業の協力内容の表示を組む含むコンテンツにして、まい箸運営側のまい箸に対するメッセージと共に通信ネットワーク上に配信し、
（b）まい箸利用側及び飲食業側の通信手段が、まい箸に関する情報及び要望をまい箸運営側システムに送信し、
（c）まい箸運営側システムが、まい箸の情報及びまい箸に関する要望を受信・格納・分析して、分析情報に基いて飲食業の広告データベースの該当する広告のコンテンツを再生し、かつ、分析情報に基く提案を該当飲食業に送信し、まい箸に協力する飲食業による木材環境保護への寄付情報を通信ネットワーク上に配信すること、を特徴とする。
【発明の効果】
【０００８】
第一及び第二の本発明によるまい箸ネットワークシステムによれば、代表的には、下記（a)〜(d)等の効果が得られる。
(a) まい箸運営側によってコンピュター・ネットワークを介してまい箸に協力する飲食業がまい箸利用側に伝達されて、まい箸利用者が食事をする飲食店を容易に選択可能になる。
（b）まい箸運営側システムが、まい箸利用側及び飲食業側のまい箸情報をコンピュター・ネットワークを介して格納・分析し、その結果をまい箸の普及・拡大に適するコンテンツの作成に活用できるので、まい箸の普及・拡大に適する広告（飲食業の宣伝を含む）が通信ネットワーク上に配信されて、まい箸利用者の増大とまい箸による食文化の普及が可能になる。
（c）飲食業側は、まい箸利用者を新たな顧客として獲得するので、まい箸利用者からの収益の一部の木材環境保護（例えば、森林保護等）への寄付が可能になる。
（d）まい箸の普及・拡大によりまい箸利用者の増大とまい箸による食文化が一般的にして、割り箸の消費を低下させて木材資源浪費を減少させ、まい箸に関連する新たな産業創生の糸口になり得る。
【発明を実施するための最良の形態】
【０００９】
本発明によるまい箸ネットワークシステムを実施の最良の形態例に基いて具体的に説明する。
【００１０】
<まい箸ネットワークシステムの概要>：                                                          
まい箸ネットワークシステムは、まい箸運営側が、まい箸理容の外食への普及のメッセージを発信して、まい箸に協力する飲食業（例えば、飲食店）の効果的な広告をメデアに発信して、飲食業にまい箸利用者を吸引して営業利益をもたらして、飲食業による利益の一部の木材環境保護（例えば、森林保護等）への寄付を可能にするシステムである。
そのために、まい箸運営側がまい箸に関する情報・要望をシステム的に収集して、その分析（解析）に基いて飲食業の広告を再生・更新してよりアッピールするコンテンツの広告にして配信し、飲食業によるまい箸利用者（顧客）の獲得及びその拡大を可能にし、飲食業からまい箸運営側へのコンサルタント料の支払いが可能にする。      
【００１１】
通信ネットワークには、少なくとも、まい箸運営側システムと、まい箸利用側の通信手段と、飲食業側の通信手段とが、相互に通信可能に接続されて、図1は、ネットワークの概念図である。通信ネットワークは、公衆回線（例えば、電話回線・光回線・ＩＳＤＮ回線・ＡＤＳＬ回線等）を利用するネットワーク（代表的には、インターネット）及びデシタル無線通信ネットワークが代表的ではるが、デシタル無線通信ネットワークは、次世代型（例えば、ＷＣＤＭＡ）の文字・画像・データを送信機能を利用することも可能である。
【００１２】
まい箸運営側は、単一若しくは複数の組織のシステムから構成されている。システムは、コンピュータ若しくはコンピュータ機能を有する単数若しくは複数の通信可能な装置である。まい箸運営側を構成する組織は、例えば、任意団体、協同組合、共同組合、会社、公益法人、NPO法人等である。には、異なる業種の組織（例えば、コンサルタント企業、等である）。図2は、まい箸運営側が、異なる業種の複数の組織から構成される場合の概念図である。図2では、コンサルタント企業が、広告を取り扱う企業、コンピュータによる解析を行う企業及びNPO法人を統括している。コンピュータによる解析を行う企業は、まい箸に関する収集・分析をおこなって、分析結果のデータをコンサルタント企業に送信して、コンサルタント企業は、広告のデータベースから分析結果のデータにより再生する対象の広告を検索してその広告を再生・更新する。
【００１３】
まい箸利用側の通信手段は、個々のまい箸利用者、まい箸利用者の集まり（例えば、まい箸クラブ・まい箸愛好会）若しくはまい箸利用者の団体（例えば、まい箸に関するＮＰＯ法人）が使用するコンピュータ若しくはコンピュータ機能を有する単数若しくは複数の通信可能な装置から構成されている。
【００１４】
飲食業側の通信手段は、個々の飲食業者、飲食業者の集まり（例えば、同じ業種の飲食業者の集まり・ビル等の同じ階の飲食業者の集まり）若しくは飲食業者の集団の管理機構が使用するコンピュータ若しくはコンピュータ機能を有する単数若しくは複数の通信可能な装置から構成されている。
【００１５】
<まい箸運営側>：
まい箸運営側は、まい箸ネットワークシステムを運営し、そのための行為をそのシステムを通じて行う。
まい箸ネットワークシステムに飲食業側が加入に際しての契約は、まい箸運営側システムと飲食業側の通信手段との間での情報の交換により行われる。まい箸運営側は、各種の業態・店舗形式に対応する複数種の契約書の書式を用意しておき、飲食業側の通信手段から加入希望が送信されると、飲食業に対応する契約書の書式を飲食業側の通信手段に送信して両者間で情報が送受信されて契約の締結に至る。まい箸ネットワークシステムへの加入によって、まい箸運営側は、第一に、まい箸利用者の来店を可能にするコンテンツの広告を立案・作成して通信ネットワーク上に配信する。第二は、まい箸利用側及び飲食業側の通信手段から受信するまい箸情報・まい箸への要望、及びまい箸運営側自ら調査するまい箸に対する社会的動向の情報を収集・格納し、それを予め備えるプログラムにより分析（解析）し、その分析結果を飲食業側及びまい箸利用側のために活用する。活用には、分析結果に基いて広告を再生・更新することである。
そのために、まい箸運営側は、広告についてデータベースを有して、分析結果により広告の再生・更新が行われる。
【００１６】
また、まい箸運営側は、分析結果に基いて飲食業に対してまい箸利用者が増加すようにコンサルタントすることである。まい箸利用には、多くの態様があるところから、まい箸利用者が望む利用態様で飲食業がまい箸に協力することが望ましく、分析結果の活用により可能になる。まい箸運営側は、更に、まい箸に関連する関連産業創生に対してコンサルタントすることが可能になる。収集・格納する要望の情報をプログラムにより分析してまい箸利用者の好み・思考が明らかになる。まい箸運営側は、収集・格納したまい箸情報から通信ネットワーク上に配信した広告と収集・格納したまい箸情報とを対比・分析するプログラムを備えることによって、通信ネットワーク上に配信する広告の効果を予測することができる。
【００１７】
まい箸運営側は、収集・格納する要望の情報をプログラムにより分析した結果を通信ネットワーク上に配信するメッセージの作成に活用して、メッセージ効果を向上させることができる。
まい箸運営側システムは、まい箸に協力する飲食業による木材環境保護への寄付情報を通信ネットワーク上に配信し、また、まい箸運営側が提案するまい箸運営への契約を受け付ける旨の情報をも通信ネットワーク上に配信する。
【００１８】
<飲食業側>：
飲食業側は、まい箸ネットワークシステムへの加入によって、まい箸運営側から前述のまい箸利用者を顧客として受け入れて、効果的な広告の通信ネットワーク上に配信及び適宜なまい箸利用者を増加・拡大させるためのコンサルタントを受けることができる。飲食業側は，契約に図いて基いてまい箸利用者による利益から木材環境保護（例えば、森林保護等）への寄付をし、まい箸運営側にコンサルタント料を支払うことになる。飲食業側から寄付用口座に振り込まれた金額は、まい箸運営側システムにより通信ネットワーク上に配信されて、寄付金は、まい箸運営側により木材環境保護（例えば、森林保護等）のために寄付される。
【００１９】
<まい箸利用側>：
個人のまい箸利用者若しくはその集まり（まい箸クラブ・まい箸愛好会）が、、まい箸運営側が発信した飲食業の広告にアクセスし、飲食業としての特色、地理的条件、交通及びまい箸利用の条件等を知って、適合する飲食業で飲食することになる。また、更に得たい情報が必要であれば、まい箸利用側の通信手段からまい箸運営側システム若しくは飲食業側の通信手段に送信して、応答を受信することができる。
また、まい箸利用者は、飲食店でのまい箸利用に関して更なる改善を要望する場合等は、要望をまい箸運営側システム若しくは飲食業側の通信手段に送信する。、まい箸運営側システムのコンピュータのまい箸利用者のデータベースには、まい箸利用者情報（性別、年齢、まい箸歴、まい箸に対する好み等）、飲食業情報（業種、まい箸の利用条件、まい箸に対する店の要望等）及び要望（対象、要望のレベル等）等が格納され、予めプログラムされているプログラムによって分類される。分類は、例えば、まい箸利用者が要望するまい箸使用環境の詳細等である。なお、まい箸利用側には、まい箸利用者になりたいと希望するものを含む。
【産業上の利用可能性】
【００２０】
本発明によって、コンピュター・ネットワークを介して、まい箸利用者が食事をする飲食店を容易に選択できる機会を与え、飲食業側には、まい箸利用者による利益の増加・拡大を可能にし、社会には、まい箸利用者の増大と割り箸の消費を低下させて木材資源浪費を減少と、木材環境保護（例えば、森林保護等）への寄付を可能にするまい箸ネットワークシステムが提供される。 
【図面の簡単な説明】
【００２１】
【図１】ネットワークの概念図である。
【図２】まい箸運営側が、異なる業種の複数の組織から構成される場合の概念図である。
【図１】
2008276282.tif 000002
【図２】
2008276282.tif 000003